(57)【要約】【課題】  この発明は、文書処理装置の応答性と、文書処理装置による有効なジョブ管理を用いたリソース消費の制御を高めることができる。【解決手段】  この発明は、パイプライン構築フェーズおよびジョブ処理フェーズに分割される、文書処理のジョブ管理のための方法および装置を対象とする。ジョブマネージャはパイプライン構築フェーズに大きく関わっている。ジョブ処理フェーズは、パイプライン構築フェーズ中に識別されたジョブプロセッサにのみ関わっている。プロセッサは、ジョブの処理開始または終了時にジョブマネージャに信号を送信する。ジョブマネージャは、コネクタ要素をパラメータ化してパイプ中のデータ量を制御することによって、リソース消費を制御する。【選択図】図１
2006048669.tif 000002
【特許請求の範囲】
【請求項１】
文書処理装置上のジョブマネージャによる印刷ジョブの有効なジョブ管理方法であって、
前記印刷ジョブを完了するのに必要な少なくとも１つのプロセスを表わすデータを含むジョブチケットを分析するステップと、
前記少なくとも１つのプロセスを実行する複数のジョブプロセッサのうち、少なくとも１台を決定するステップと、
前記少なくとも１つのプロセスを実行する前記少なくとも１台のジョブプロセッサを含めて、ジョブプロセッサのセットのリストをまとめるステップと、
前記データを前記少なくとも１台のジョブプロセッサに送信するステップとを備え、
前記データはジョブプロセッサのリストを含むものであることを特徴とするジョブ管理方法。
【請求項２】
前記ジョブチケットに関連付けられたリソースコストを決定するステップをさらに備える、請求項１に記載のジョブ管理方法。
【請求項３】
前記ジョブチケットの前記少なくとも１つのプロセスに対応する少なくとも１台のジョブプロセッサを識別するステップと、
前記少なくとも１台のジョブプロセッサの利用可能性を判定するステップとをさらに備える、請求項２に記載のジョブ管理方法。
【請求項４】
前記ジョブプロセッサのセットで利用可能なリソースを決定するステップをさらに備える、請求項３に記載のジョブ管理方法。
【請求項５】
前記利用可能なリソースは前記ジョブチケットに関連付けられたリソースコストを下回り、部分パイプラインを構築するステップをさらに備える、請求項４に記載のジョブ管理方法。
【請求項６】
前記利用可能なリソースは前記ジョブチケットに関連付けられたリソースコストと同等であり、完全なパイプラインを構築するステップをさらに備える、請求項４に記載のジョブ管理方法。
【請求項７】
前記ジョブチケットに含まれるデータに従って、前記ジョブプロセッサのセット内の第１のジョブプロセッサで前記印刷ジョブを処理するステップをさらに備える、請求項３に記載のジョブ管理方法。
【請求項８】
前記第１のジョブプロセッサによっていつ前記印刷ジョブの処理が完了するかを決定し、前記ジョブチケットに含まれるデータに従って、前記印刷ジョブを前記ジョブプロセッサのセット内の第２のジョブプロセッサに送信するステップをさらに備える、請求項７に記載のジョブ管理方法。
【請求項９】
前記第１のジョブプロセッサによる処理が完了した時点で前記ジョブマネージャに通知するステップと、
前記第２のジョブプロセッサによる処理が完了した時点で前記ジョブマネージャに通知するステップとをさらに備える、請求項８に記載のジョブ管理方法。
【請求項１０】
文書処理装置上のジョブマネージャによる印刷ジョブの有効なジョブ管理のためのシステムであって、
前記印刷ジョブを完了するのに必要な少なくとも１つのプロセスを表わすデータを含むジョブチケットを分析する手段と、
前記少なくとも１つのプロセスを実行する複数のジョブプロセッサのうち、少なくとも１台を決定する手段と、
前記少なくとも１つのプロセスを実行する前記少なくとも１台のジョブプロセッサを含めて、ジョブプロセッサのセットのリストをまとめる手段と、
前記データを前記少なくとも１台のジョブプロセッサに送信する手段とを備え、前記データはジョブプロセッサのリストを含む、システム。
【請求項１１】
前記ジョブチケットに関連付けられたリソースコストを決定する手段をさらに備える、請求項１０に記載のシステム。
【請求項１２】
前記ジョブチケットの前記少なくとも１つのプロセスに対応する少なくとも１台のジョブプロセッサを識別する手段と、
前記少なくとも１台のジョブプロセッサの利用可能性を判定する手段とをさらに備える、請求項１１に記載のシステム。
【請求項１３】
前記ジョブプロセッサのセットで利用可能なリソースを決定する手段をさらに備える、請求項１２に記載のシステム。
【請求項１４】
部分パイプラインを構築する手段をさらに備える、請求項１３に記載のシステム。
【請求項１５】
完全なパイプラインを構築する手段をさらに備える、請求項１３に記載のシステム。
【請求項１６】
前記ジョブチケットに含まれるデータに従って、前記ジョブプロセッサのセット内の第１の    ジョブプロセッサで前記印刷ジョブを処理する手段をさらに備える、請求項１１に記載のシステム。
【請求項１７】
前記第１のジョブプロセッサによっていつ前記印刷ジョブの処理が完了するかを決定し、前記ジョブチケットに含まれるデータに従って、前記印刷ジョブを前記ジョブプロセッサのセット内の第２のジョブプロセッサに送信する手段をさらに備える、請求項１６に記載のシステム。
【請求項１８】
前記第１のジョブプロセッサによる処理が完了した時点で前記ジョブマネージャに通知する手段と、
前記第２のジョブプロセッサによる処理が完了した時点で前記ジョブマネージャに通知する手段とをさらに備える、請求項１７に記載のシステム。
【請求項１９】
文書処理装置上のジョブマネージャによる印刷ジョブの有効なジョブ管理のためのコンピュータ実施方法であって、
前記印刷ジョブを完了するのに必要な少なくとも１つのプロセスを表わすデータを含むジョブチケットを分析するステップと、
前記少なくとも１つのプロセスを実行する複数のジョブプロセッサのうち、少なくとも１台を決定するステップと、
前記少なくとも１つのプロセスを実行する前記少なくとも１台のジョブプロセッサを含めて、ジョブプロセッサのセットのリストをまとめるステップと、
前記データを前記少なくとも１台のジョブプロセッサに送信するステップとを備え、前記データはジョブプロセッサのリストを含む、コンピュータ実施方法。
【請求項２０】
前記ジョブチケットに関連付けられたリソースコストを決定するステップをさらに備える、請求項１９に記載のコンピュータ実施方法。
【請求項２１】
前記ジョブチケットの前記少なくとも１つのプロセスに対応する少なくとも１台のジョブプロセッサを識別するステップと、
前記少なくとも１台のジョブプロセッサの利用可能性を判定するステップとをさらに備える、請求項２０に記載のコンピュータ実施方法。
【請求項２２】
前記ジョブプロセッサのセットで利用可能なリソースを決定するステップをさらに備える、請求項２１に記載のコンピュータ実施方法。
【請求項２３】
前記利用可能なリソースは前記ジョブチケットに関連付けられたリソースコストを下回り、部分パイプラインを構築するステップをさらに備える、請求項２２に記載のコンピュータ実施方法。
【請求項２４】
前記利用可能なリソースは前記ジョブチケットに関連付けられたリソースコストと同等であり、完全なパイプラインを構築するステップをさらに備える、請求項２２に記載のコンピュータ実施方法。
【請求項２５】
前記ジョブチケットに含まれるデータに従って、前記ジョブプロセッサのセット内の第１のジョブプロセッサで前記印刷ジョブを処理するステップをさらに備える、請求項２１に記載のコンピュータ実施方法。
【請求項２６】
前記第１のジョブプロセッサによっていつ前記印刷ジョブの処理が完了するかを決定し、前記ジョブチケットに含まれるデータに従って、前記印刷ジョブを前記ジョブプロセッサのセット内の第２のジョブプロセッサに送信するステップをさらに備える、請求項２５に記載のコンピュータ実施方法。
【請求項２７】
前記第１のジョブプロセッサによる処理が完了した時点で前記ジョブマネージャに通知するステップと、
前記第２のジョブプロセッサによる処理が完了した時点で前記ジョブマネージャに通知するステップとをさらに備える、請求項２６に記載のコンピュータ実施方法。
【発明の詳細な説明】
【技術分野】
【０００１】
本発明は、文書処理ジョブ管理のための方法および装置を対象とする。より詳細には、本発明は、パイプライン構築フェーズおよびジョブ処理フェーズに有利に分割される文書処理のジョブ管理のための方法および装置を対象とする。
【背景技術】
【０００２】
多機能周辺機器または文書処理装置は、ジョブコンセプトに基づいて動作する。ここで、ジョブは多機能周辺機器が動作および追跡する作業の最小単位である。ジョブは、通常、各ジョブの処理順を定義するキュー内で整理され、各キューが通常１種類のジョブを含む。各ジョブは、ジョブに関する特定の動作を行う多数のプロセッサで処理される。このような処理の指示はジョブチケット内に含まれている。ジョブチケットは、ジョブメタデータとして知られるジョブについての追加情報を含んでおり、それがプロセッサ独自の要件に応じてプロセッサに転送される。全てのキューが通常ジョブチケットに関連付けられており、これはキュー内の全てのジョブに適用される。
【０００３】
ジョブ管理の複雑性は途方もなく、このような特定の制約内のジョブ管理の有効性に関してはなおさらである。処理される平均ジョブ数は、１０から１０，０００まで変動することも多い。各ジョブは独自のステータス、副産物、キュー順序を有する。応答性の要件も厳しい。通常、応答システムとして適格であるためには、注意を要するジョブが１秒以内に行われなければならない。新たなキューおよびジョブの種類が動的に作成される能力のせいで、キューのセットおよびジョブの種類もまた問題を複雑にしている。
【発明の開示】
【発明が解決しようとする課題】
【０００４】
このように、文書処理装置の応答性と、文書処理装置による有効なジョブ管理を用いたリソース消費の制御を高めるための、システムおよび方法が必要である。
【課題を解決するための手段】
【０００５】
本発明によれば、文書処理周辺機器においてプロセスを管理するためのシステムおよび方法が教示される。
【０００６】
また、本発明によれば、文書処理装置上のジョブマネージャによる印刷ジョブの有効なジョブ管理のための方法が教示される。ジョブマネージャは、この印刷ジョブを完了するのに必要な１つ以上のプロセスを示すデータを含む、ジョブチケットを分析する。次に、ジョブマネージャは、ジョブチケットに関連するリソースコストを確定する。次に、ジョブマネージャは、そのプロセスを実行する複数のジョブプロセッサのうちの少なくとも１台を決定する。ジョブマネージャは、ジョブチケットのプロセスに対応するそれらのジョブプロセッサを識別するように働き、それらプロセッサのどれが使用可能かを判定する。次に、ジョブプロセッサのセットのリストがこのプロセスを実行するジョブプロセッサを含めてまとめられる。続いて、ジョブデータがそのプロセッサに送られるが、このジョブデータは印刷ジョブに関するプロセスを実行するのに必要なジョブプロセッサのリストを含んでいる。利用可能なリソースがジョブチケットを完全に処理するのに必要なリソースを下回ると、マネージャは部分パイプラインを構築する。利用可能なリソースがジョブチケットを完全に処理するのに必要なリソースを満たすかまたはそれを超えていると、マネージャは完全なパイプラインを構築する。次に、支障をきたすことなく、全ての処理を行うプロセッサにジョブマネージャからデータが送られる。
【０００７】
本方法の一態様は、各ジョブプロセッサが印刷ジョブに関するその対応するプロセスを完了した後で、ジョブマネージャに通知することを含んでいる。
【０００８】
さらに、本発明によれば、文書処理装置上のジョブマネージャによる印刷ジョブの有効なジョブ管理のためのシステムが教示される。このシステムは、この印刷ジョブを完了させるのに必要な１つ以上のプロセスを示すデータを含む、ジョブチケットを分析する手段を含んでいる。次に、リソースコストを決定する手段が、ジョブチケットに関連するリソースコストを確定する。このシステムは、複数のジョブプロセッサのうちのどれがこのプロセスを実行するかを決定する手段も含んでいる。次に、まとめるように手段が設けられ、このプロセスを実行するジョブプロセッサを含めてジョブプロセッサのセットのリストをまとめる。利用可能なリソースがジョブチケットを完全に処理するのに必要なリソースを下回ると、システムがリソースの部分パイプラインを構築するように働くパイプラインの構築を教示する。有効なリソースがジョブチケットを完全に処理するのに必要なリソースを満たすかまたはそれを超えていると、開示されたシステムがリソースの完全なパイプラインを構築するように働くパイプラインの構築を提供する。次に、データ送信手段がジョブプロセッサのリストを有するデータをリスト上の第１のプロセッサに転送する。次に、支障をきたすことなく、処理を行うプロセッサにジョブマネージャからデータが送られる。
【０００９】
本システムの一態様は、各ジョブプロセッサが印刷ジョブに関するこれの対応するプロセスを完了した後で、ジョブマネージャに通知する手段を含んでいる。
【００１０】
またさらに、本発明によれば、文書処理装置上のジョブマネージャによる印刷ジョブの有効なジョブ管理のためのコンピュータ実施方法が教示される。ジョブマネージャは、この印刷ジョブを完了させるのに必要な１つ以上のプロセスを示すデータを含むジョブチケットを分析する。次に、ジョブマネージャは、ジョブチケットに関連するリソースコストを確定する。次に、マネージャは、このプロセスを実行する複数のジョブプロセッサのうちの少なくとも１台を決定する。ジョブマネージャは、ジョブチケットのプロセスに対応するこれらのジョブプロセッサを識別するように働き、それらジョブプロセッサのどれが使用可能かを判定する。次に、ジョブプロセッサのセットのリストがそのプロセスを実行するジョブプロセッサを含めてまとめられる。続いて、データがジョブプロセッサに送られるが、このデータは印刷ジョブに関するプロセスを実行するのに必要なジョブプロセッサのリストを含んでいる。利用可能なリソースがジョブチケットを完全に処理するのに必要なリソースを下回ると、マネージャは部分パイプラインを適切に構築する。有効なリソースがジョブチケットを完全に処理するのに必要なリソースを満たすかまたはそれを超えていると、マネージャは完全なパイプラインを構築する。次に、支障をきたすことなく、全ての処理を行うプロセッサにジョブマネージャからデータが送られる。
【００１１】
本コンピュータ実施方法の一態様は、各ジョブプロセッサが印刷ジョブに関するこれの対応するプロセスを完了した後で、ジョブマネージャに通知することを含んでいる。
【００１２】
本発明のさらに他の目的および態様は、単に本発明を実施するために適した最良の形態の１つを例示することによって、本発明の好ましい実施形態が示され説明された以下の記載から、当業者には容易に明らかとなろう。理解されるように、本発明は他の異なる実施形態を可能とし、そのいくつかの詳細は本発明から以外の全ての様々な自明の態様において変形が可能である。したがって、図面および説明は本質的に例示的であり、限定的とは見なされまい。
【００１３】
本明細書に組み込まれ、その一部を構成する添付の図面は、本発明のいくつかの態様を示し、その記載と共に本発明の原理を説明するように働くものである。
【発明を実施するための最良の形態】
【００１４】
本発明は、文書処理ジョブ管理のための方法およびシステムを対象とする。より詳細には、本発明は、パイプライン構築フェーズおよびジョブ処理フェーズに分割される、文書処理のジョブ管理のための方法およびシステムを対象とする。
【００１５】
図１は、本発明に係り、概して１００で示される本システムの好ましい実施形態のブロック図を示す。このシステムは、多機能周辺機器１０２として示された、画像データを生成または処理するための少なくとも１台の文書処理周辺機器を備える。文書処理周辺機器は、コピー機、プリンタ、スキャナ、ファクシミリ等の、当技術分野で周知の任意の適切な文書処理装置、またはこれらの任意の組み合わせであることが理解されよう。適切な市販の文書処理周辺機器は東芝ｅ−スタジオシリーズのコントローラを含むが、これに限定されない。
【００１６】
当業者には理解されるように、システム１００の文書処理周辺機器１０２は、文書処理周辺機器の機能を制御するコントローラ１０４をさらに備えている。図１に示すように、コントローラ１０４は、文書処理周辺機器１０２から分離したコンポーネントとして示されている。当業者には、本発明がコントローラ１０４を文書処理周辺機器１０２の一体化されたコンポーネントとして適切に使用可能であることが、理解され、認識されよう。当業者には理解されるように、一体化されたコントローラ１０４は、文書処理周辺機器１０２の機能を適切に制御可能な任意のハードウェア、ソフトウェア、またはこれらの組み合わせであるのが有利である。文書処理周辺機器１０２のコントローラ１０４は、ジョブマネージャ１１２およびジョブプロセッサ１１３を備えている。ジョブマネージャ１１２は、文書処理周辺機器１０２と通信可能に接続されている。
【００１７】
文書処理周辺機器１０２は、コンピュータネットワーク１１６に通信可能に接続されている。コンピュータネットワーク１１６は、文書処理周辺機器１０２にジョブデータを送信可能な少なくとも１台の電子機器をさらに備えている。図１に示すように、パーソナルコンピュータ１０６は、コンピュータネットワーク１１６上で、任意の転送プロトコルを介して文書処理周辺機器１０２にジョブデータを送信する。図１に示すように、ジョブチケット１０８は、文書処理周辺機器１０２に、これのジョブデータが関連する文書を出力可能とさせる文書生成データを、備えている。ジョブチケット１０８は、ジョブメタデータ１１０をさらに備えており、それはジョブメタデータ１１０が対応する印刷ジョブの処理において、第１のジョブプロセッサ１１４、次のジョブプロセッサ１１５またはジョブプロセッサ１１３のいずれかを制御する。
【００１８】
図２を参照すると、本発明に係り、概して２００で示される方法の好ましい実施形態を示すフローチャートが示されている。この方法は、文書処理装置１０２のコントローラ１０４のジョブマネージャ１１２が新規の印刷ジョブを受信するときに、ステップ２０５で始まる。当業者には理解されるように、印刷ジョブは文書処理装置により文書を出力させる任意の要求であり、文書に関連付けられたデータを含む。ステップ２１０で、ジョブマネージャ１１２がジョブチケットを分析して印刷ジョブに関するデータを読み出す。当業者には理解されるように、印刷ジョブはジョブに関する特定の動作を行う任意の数のプロセッサにより処理される。これらの処理の指示、例えばワークフローがジョブチケット内に含まれている。ジョブチケットは、印刷ジョブについての追加情報をさらに含んでいる。この追加情報、またはメタデータが印刷ジョブの処理においてジョブプロセッサ１１３を指示する。メタデータ１１０はジョブマネージャ１１２によりステップ２１５で読み込まれ、ステップ２２０での印刷ジョブに関連するリソースコストの決定を可能とする。
【００１９】
ジョブプロセッサ１１３のそれぞれが、中央演算処理装置時間、メモリ空間等のシステムリソースの一部を使用し、これらは文書処理装置の構成により物理的に制限されている。ジョブメタデータ１１０により、印刷ジョブを完全に処理するために必要なこれらのジョブプロセッサ１１３を、ジョブマネージャ１１２がステップ２２５で識別可能となる。一旦、ジョブプロセッサ１１３が識別されると、ジョブマネージャ１１２がステップ２３０でこの方法のパイプライン構築フェーズを開始する。当業者には、パイプラインが特定の印刷ジョブ用のワークフローを意味している。
【００２０】
次に、ステップ２３５で、ジョブマネージャ１１２がパイプラインを完全に構築するのに十分なリソースが利用可能かを判定する。十分なリソースが利用可能な場合、ステップ２４０で、ジョブマネージャが完全なパイプラインを構築する。しかしながら、十分な量のリソースが利用可能でない場合、ステップ２４５で、ジョブマネージャ１１２が部分パイプラインを構築する。例えば、ジョブマネージャ１１２は、照合動作に関連するデータがパイプラインに供給された後で、ステープル動作に関連するデータをパイプラインに入力するのが好ましい。ジョブマネージャ１１２は、必要なリソース全てが利用不可能な場合に、部分データまたは動作をパイプライン内に集める。ステープル動作が不可能な場合、ジョブマネージャ１１２が他のジョブに関連するデータを依然として供給し、プロセスを可能な範囲まで完了させる。
【００２１】
図２に戻ると、ステップ２５０で、次にジョブマネージャ１１２が、ステップ２０４またはステップ２４５のいずれかで確立されたパイプラインに従って、ジョブを処理するのに利用可能な全てのジョブプロセッサ１１３のリストをまとめる。そこで、ステップ２５５で、ジョブマネージャ１１２が、メタデータ１１０と共に印刷ジョブをジョブプロセッサ１１３のリスト中の第１のジョブプロセッサに送信する。当業者には、メタデータ１１０が印刷ジョブに関する追加情報を適切に備えることが理解されよう。この情報がジョブプロセッサ１１３の要件に基づいてジョブプロセッサ１１４に転送される。
【００２２】
ジョブプロセッサ１１３のリストの第１のジョブプロセッサ１１４は、印刷ジョブの処理を開始する準備ができていることをジョブマネージャ１１２に通知し、ステップ２６０で印刷ジョブの処理を開始する。第１のジョブプロセッサ１１４がメタデータ１１０により指定されたプロセスの実行を完了すると、ステップ２６５で、第１のプロセッサ１１４はジョブマネージャに処理の完了を通知する。ステップ２７０で、印刷ジョブが全ての処理を終えていないことが判定される。当業者には、ジョブマネージャ１１２が印刷ジョブの処理の進捗を通知される間に、事前に設定したプロセッサのリストを用いることにより、ジョブプロセッサ１１３のうち１台から次のジョブプロセッサ１１５へと印刷ジョブを進めることから、ジョブマネージャ１１２を除くことが可能となることが理解されよう。
【００２３】
ステップ２７５で、ステップ２６０からステップ２６５で第１のプロセッサにより処理されてきた印刷ジョブは、ジョブプロセッサ１１３のリストの次のジョブプロセッサ１１５に送られる。本方法により実施されるジョブプロセッサ１１３の数が、文書処理装置により提示されたプロセスによってのみ制限されている。文書処理装置により実行可能なプロセス数に対応する任意の数のジョブプロセッサ１１３が、使用されるものであっても良い。
【００２４】
次のジョブプロセッサ１１５がステップ２７５で印刷ジョブを受信すると、方法はステップ２８０に進み、ここで、次のジョブプロセッサ１１５がジョブマネージャ１１２に印刷ジョブの受信を通知し、次のジョブプロセッサ１１５により表わされるプロセスに従って処理を開始する。例えば、第１のジョブプロセッサ１１４がスキャニングプロセスを実行したら、次のプロセッサ１１５はラスタライズプロセスを処理することになる。各後続のジョブプロセッサが、レンダリングからステープル、さらに３穴パンチまでの印刷ジョブの他の要素を実行することになる。当業者には、印刷ジョブの各要素がプロセッサのリストをまとめる間にジョブマネージャ１１２によってパラメータ化されることが理解されよう。
【００２５】
次のジョブプロセッサ１１５が、これの指定されたプロセスに従って印刷ジョブを処理し終えると、プロセッサ１１５はステップ２６５に戻ってジョブマネージャ１１２にプロセスが完了したことを通知する。ステップ２７０でジョブが完了したら、その印刷ジョブにより表わされる文書が任意の適切な手段によって出力される。すなわち、プロセッサ１１３のリスト最後尾のプロセッサが印刷ジョブを処理し終えると、その印刷ジョブは完了したとみなされ、文書処理装置の機能に従って出力される。
【００２６】
この発明は、パイプライン構築フェーズおよびジョブ処理フェーズに分割される、文書処理のジョブ管理のための方法および装置を対象とする。ジョブマネージャはパイプライン構築フェーズに大きく関わっている。ジョブ処理フェーズは、パイプライン構築フェーズ中に識別されたジョブプロセッサにのみ関わっている。プロセッサは、ジョブの処理開始または終了時にジョブマネージャに信号を送信する。ジョブマネージャは、コネクタ要素をパラメータ化してパイプ中のデータ量を制御することによって、リソース消費を制御する。例えば、ジョブマネージャは、照合動作に関連するデータがパイプラインに供給された後で、ステープル動作に関連するデータをパイプラインに入力するのが好ましい。ジョブマネージャは、必要なリソース全てが利用不可能な場合に部分データまたは動作をパイプライン内に集める。ステープル動作が不可能な場合、ジョブマネージャが他のジョブに関連するデータを依然として供給し、プロセスを可能な範囲まで完了させる。
【００２７】
本システムは、これらの実施形態の説明により示され、この実施形態はかなり詳細に説明されてきたが、このような詳細に添付の特許請求の範囲を制限または何らかの形で限定するのは、出願人の意図ではない。当業者には追加の利点および変形が容易に明らかになろう。したがって、本システムは、広い態様において、図示され説明された具体的な詳細、代表的な装置、および説明のための例に限定されない。したがって、出願人の総括的な発明概念の精神または範囲から逸脱することなく、このような詳細から離脱することも可能である。
【図面の簡単な説明】
【００２８】
【図１】本発明に係るシステムのブロック図である。
【図２】本発明に係る方法を示すフローチャートである。
【符号の説明】
【００２９】
１００  システム  １０２  文書処理周辺機器  １０４  コントローラ  １０６  パーソナルコンピュータ  １０８  ジョブチケット  １１０  ジョブメタデータ  １１２  ジョブマネージャ  １１３  ジョブプロセッサ  １１４  第１のジョブプロセッ
【図１】
2006048669.tif 000003
【図２】
2006048669.tif 000004
【外国語明細書】
2006048669000001.pdf